(57)【要約】      （修正有）【課題】使用者が体や腕を動かす場合にも邪魔にならず、腕から抜け落ちる恐れもない洗濯バサミホルダを提供する。【解決手段】伸縮性を有し、二の腕の手首寄りに着脱自在に嵌着可能な筒状の基部２の外周に、円環の鍔状に設けられて周縁部５、６に多数の洗濯バサミを着脱自在に挟ませることが可能なサイズの異なる洗濯バサミ保持用鍔部３、４を設ける。洗濯バサミ保持用鍔部３、４は、基部２を形成する生地素材を半径方向外側へ円盤状に膨らませる。周縁部５、６が内部にリング状の空間を有する袋部７、８となるように周縁部５、６の内、半径方向内側を周方向に縫い合わせ、かつ、袋部７、８の内部に塩化ビニルチューブから成るリング状の芯材９、１０を内蔵させた構成を有している。【選択図】図１
0003185297.tif 000002
【実用新案登録請求の範囲】
【請求項１】
腕の周りに着脱自在に密着させて装着可能な基部と、
基部の外面側に鍔状に設けられて外縁部に多数の洗濯バサミを着脱自在に挟ませることが可能な１または複数の洗濯バサミ保持用鍔部と、
を備えたことを特徴とする洗濯バサミホルダ。
【請求項２】
腕の周りに着脱自在に密着させて装着可能な基部と、
基部の外面側に鍔状に設けられて外縁部に多数の洗濯バサミを着脱自在に挟ませることが可能なサイズの異なる複数の洗濯バサミ保持用鍔部と、
を備えたことを特徴とする洗濯バサミホルダ。
【請求項３】
前記基部を伸縮性を有する筒状としたこと、
を特徴とする請求項１または２記載の洗濯ハサミホルダ。
【請求項４】
前記基部を腕に巻くことが可能な帯状とし、腕に着脱自在に固定する固定部を付設したこと、
を特徴とする請求項１または２記載の洗濯バサミホルダ。
【請求項５】
前記洗濯バサミ保持用鍔部の外縁部を袋部とし、
袋部の内部に芯材を備えたこと、
を特徴とする請求項１乃至４の内のいづれか１項記載の洗濯バサミホルダ。
【請求項６】
前記芯材を弾性部材としたこと、
を特徴とする請求項５記載の洗濯バサミホルダ。
【考案の詳細な説明】
【技術分野】
【０００１】
本考案は洗濯バサミホルダに係り、とくに多数の洗濯バサミを取り付け、腕に着脱自在に装着可能な洗濯バサミホルダに関する。
【背景技術】
【０００２】
従来、洗濯した衣類等を物干し竿、物干しロープに吊るして乾燥させる際、洗濯物をカゴ、洗濯バサミを箱に入れて軒下、ベランダ、屋上などの干し場へ行き、地面や床に洗濯物と洗濯バサミを置き、カゴから洗濯物を１つ取り出して物干し竿、物干しロープに掛け、箱から１乃至数個の洗濯バサミを取り出して洗濯物を１つ留めるという動作を繰り返していた。この場合、洗濯物を一つ掛ける毎にかがんで箱から新たな洗濯バサミを取り出さなければならず、繁雑で手間の掛かる作業となっていた。
この問題を解決するため、腕に多数の洗濯バサミを保持できるようにした洗濯バサミ保管具の考案が提案されている（特許文献１参照）。この保管具は、人腕を挿通可能な小径の腕輪部と洗濯バサミを挟ませる大径の保管輪部とを接続部で一体化した構造を有している。そして、予め保管輪部に多数の洗濯ハサミを挟んでおき、使用時に腕輪部に左腕を通して保管具全体を左腕に掛けた状態で、両手で洗濯物を物干し竿等に掛けるとともに右手で保管綸部から洗濯バサミを外して洗濯物を留めることにより、一々、かがんで箱から洗濯バサミを取り出さなくても簡単な動作で洗濯物を留められるようにしたものである。
【０００３】
けれども、上記した従来の保管具では、腕輪部が左腕に吊持されているだけなので、使用者が体を動かしたり、左腕を動かしたりすると保管具が左腕に対し動いてしまい、洗濯物や体に当たったりして邪魔になったり、左腕を下に向けたときに保管具が滑って左腕から抜け落ちてしまうなどの欠点があった。
【先行技術文献】
【特許文献】
【０００４】
【特許文献１】特開２００３−１１７２９３号公報
【考案の概要】
【考案が解決しようとする課題】
【０００５】
本考案は上記した従来技術の問題に鑑みなされたもので、使用者が体や腕を動かす場合にも邪魔にならず、腕から抜け落ちる恐れもない洗濯バサミホルダを提供することを、その目的とする。
【課題を解決するための手段】
【０００６】
本考案の請求項１記載の洗濯バサミホルダでは、腕の周りに着脱自在に密着させて装着可能な基部と、基部の外面側に鍔状に設けられて外縁部に多数の洗濯バサミを着脱自在に挟ませることが可能な１または複数の洗濯バサミ保持用鍔部と、を備えたことを特徴としている。
本考案の請求項２記載の洗濯バサミホルダでは、腕の周りに着脱自在に密着させて装着可能な基部と、基部の外面側に鍔状に設けられて外縁部に多数の洗濯バサミを着脱自在に挟ませることが可能なサイズの異なる複数の洗濯バサミ保持用鍔部と、を備えたことを特徴としている。
本考案の請求項３記載の洗濯バサミホルダでは、基部を伸縮性を有する筒状としたこと、を特徴としている。
本考案の請求項４記載の洗濯バサミでは、基部を腕に巻くことが可能な帯状とし、腕に着脱自在に留める固定部を付設したこと、を特徴としている。
本考案の請求項５記載の洗濯バサミホルダでは、洗濯バサミ保持用鍔部の外縁部を袋部とし、袋部の内部に芯材を備えたこと、を特徴としている。
本考案の請求項６記載の洗濯バサミホルダでは、芯材を弾性部材としたこと、を特徴としている。
【考案の効果】
【０００７】
本考案によれば、１または複数の洗濯バサミ保持用鍔部に、半径方向外側から中心に向かう向きで多数の洗濯バサミを挟ませておき、例えば腕の手首近くに基部を密着させて装着すれば、体や腕を動かしてもホルダが動かず、洗濯物を干す動作の邪魔にならない。また、腕を下に向けてもホルダが腕から抜け落ちることもない。
また、他の一つの考案によれば、基部にサイズの異なる複数の洗濯バサミ保持用鍔部を設けたので、例えば小サイズの洗濯バサミ保持用鍔部には小サイズの多数の洗濯バサミを挟み、大サイズの洗濯バサミ保持用鍔部には大サイズの多数の洗濯バサミを挟むことで、サイズの異なる洗濯バサミを整理して保持させることが可能となる。
また、更に他の一つの考案によれば、洗濯バサミ保持用鍔部の外縁部を袋部とし、袋部の内部に芯材を備えたことにより、洗濯バサミ保持用鍔部の形が安定し、多数の洗濯バサミを洗濯バサミ保持用鍔部にきれいに並んだ状態で保持させることができるとともに、芯材を跨ぐようにして洗濯バサミで挟ませることで、洗濯バサミ保持用鍔部から容易に脱落しないようにできる。
また、他の一つの考案によれば、芯材を弾性部材としたので、ソフトな触感が得られるとともに洗濯バサミ保持用鍔部の形態安定性が増す。
【図面の簡単な説明】
【０００８】
【図１】本考案の第１実施例に係る洗濯バサミホルダの一部破断した外観斜視図である（実施例１）。
【図２】図１の洗濯バサミホルダの正面図である。
【図３】図１の洗濯バサミホルダの断面図である。
【図４】図１の洗濯バサミホルダの使用使用状態の説明図である。
【図５】第１実施例の変形例に係る洗濯バサミホルダの正面図である。
【図６】第１実施例の他の変形例に係る洗濯バサミホルダの外観斜視図である。
【図７】図６の洗濯バサミホルダの基部を巻きつけ状態にしたときの説明図である。
【考案を実施するための最良の形態】
【０００９】
以下、本考案の最良の形態を実施例に基づき説明する。
【実施例１】
【００１０】
図１乃至図３を参照して本考案の第１実施例を説明する。図１は本考案に係る洗濯バサミホルダの一部破断した外観斜視図、図２は図１の洗濯バサミホルダの正面図、図３は図１の洗濯バサミホルダの断面図である。
図１乃至図３において、１は洗濯バサミホルダであり、使用者が洗濯物を干す際、腕に嵌着して使用する。２は伸縮性を有し、指先から挿入して腕の手首寄りに着脱自在に嵌着可能な筒状の基部であり、ここでは、一例としてゴム入りのサポータ生地素材により形成されているものとする。３、４は各々、基部２の図２における右端寄りと左端寄りの外面側の外周に沿って、円環の鍔状に設けられて外縁部としての周縁部５、６に多数の洗濯バサミ（図４の符号２０、３０参照）を着脱自在に挟ませることが可能な洗濯バサミ保持用鍔部である。洗濯バサミ保持用鍔部３、４の周縁部５、６は断面が略円形に膨らんでいる。右側の洗濯バサミ保持用鍔部３は外周の直径と周縁部５の断面のサイズが小さく、物干しロープに洗濯物を留める場合などに用いる小さいサイズの洗濯バサミ２０の保持用であり、左側の洗濯バサミ保持用鍔部４は外周の直径と周縁部６の断面のサイズが大きく、物干し竿に洗濯物を留める場合などに用いる大きいサイズの洗濯バサミ３０の保持用である。
【００１１】
洗濯バサミ保持用鍔部３、４は、基部２を形成する生地素材を半径方向外側へ円盤状に膨らませ、周縁部５、６が内部にリング状の空間を有する袋部７、８となるように周縁部５、６の内、半径方向内側を周方向に縫い合わせ（図１の二点鎖線Ａ、Ｂ参照）、かつ、袋部７、８の内部に塩化ビニルチューブなどのチューブ状弾性部材から成るリング状の芯材９、１０を内蔵させた構成を有している。周縁部５、６に芯材９、１０が内蔵されることにより、洗濯バサミ保持用鍔部３、４は円盤状の形態が安定する。芯材９は断面が細く、小さい洗濯バサミ２０を芯材９を跨ぐようにして、洗濯バサミ保持用鍔部３の周縁部５を半径方向外側から内側に向く向きで挟むことができるようになっており、一度挟んだ状態にすると、洗濯バサミ２０は芯材９の太さ以上に開くための大きな力が加わらない限り外れない。芯材１０は断面が太く、大きい洗濯バサミ３０を芯材１０を跨ぐようにして、洗濯バサミ保持用鍔部４の周縁部６を半径方向外側から内側に向く向きで挟むことができるようになっており、一度挟んだ状態にすると、洗濯バサミ３０は芯材１０の太さ以上に開くための大きな力が加わらない限り外れない。
１１は、基部２の端に取り付けられたリング状の係止紐であり、非使用時に壁に取り付けたフック（図示せず）に係止紐１１を掛けて洗濯バサミホルダ１を洗濯バサミを取り付けた状態で保管することができる。
【００１２】
図４は洗濯バサミホルダ１の使用方法の説明図であり、以下、この図を参照して上記した実施例の動作を説明する。
なお、洗濯バサミホルダ１には予め、洗濯バサミ保持用鍔部３の周縁部５に周方向に沿って多数の小さいサイズの洗濯バサミ２０を挟んであり、洗濯バサミ保持用鍔部４の周縁部６に周方向に沿って多数の大きいサイズの洗濯バサミ３０が挟んであるものとする。洗濯バサミ２０、３０は各々、洗濯バサミ保持用鍔部３、４の周縁部５、６の芯材９、１０を跨ぐようにして挟んであり、容易には脱落しない。
使用者が洗濯物を干したい場合、多数の洗濯バサミ２０、３０を保持した洗濯バサミホルダ１を取って基部２の図２における洗濯バサミ保持用鍔部４の側から左手の指先を入れ、腕の手首寄りに嵌着する。基部２が伸縮性を有することから、基部２が腕の周りに密着し、洗濯バサミホルダ１が腕に固定される。
【００１３】
洗濯後の洗濯物を持って干し場へ行き、１つの洗濯物を物干しロープ（図示せず）に掛けたときは左腕の洗濯バサミホルダ１の洗濯バサミ保持用鍔部３から、右手で小さい洗濯バサミ２０を取り、洗濯物を物干しロープに留め、１つの洗濯物を物干し竿に掛けたときは左腕の洗濯バサミホルダ１の洗濯バサミ保持用鍔部４から、右手で大きい洗濯バサミ３０を取り、洗濯物を物干し竿に留めるという動作を繰り返す。使用者は洗濯バサミ２０、３０が左腕に保持されているので、洗濯物を物干しロープや物干し竿に掛けた場所から移動したり、かがんだりしなくてもその場で立ったまま洗濯バサミ２０、３０で留めることができる。
また、基部２が腕に密着しているので、洗濯物を干すため体や左腕を動かしても洗濯バサミホルダ１が腕上で動かず、洗濯物を干す動作の邪魔にならない。また、左腕を下に向けても洗濯バサミホルダ１が腕から抜け落ちることもない。
使用後は、左腕から洗濯バサミホルダ１を外し、係止紐１１を所定の場所のフックに掛ければよく、乾燥した洗濯物を仕舞う場合も洗濯バサミホルダ１を左腕に嵌着し、物干しロープ、物干し竿から外した洗濯バサミ２０、３０を各々、洗濯バサミ保持用鍔部３、４の周縁部５、６に挟ませて行けば良い。
使用者が左利きの人は、洗濯バサミホルダ１を右腕の手首近くに装着すれば良い。
【００１４】
この実施例によれば、予め、２つの大小の洗濯バサミ保持用鍔部３、４に、半径方向外側から中心に向かう向きで多数の洗濯バサミ２０、３０を挟ませておき、基部２の中に左腕の指先を挿入し、腕の手首近くに基部２を嵌着すると、伸縮性により基部２が腕に密着する。従って、体や左腕を動かしても洗濯バサミホルダ１が動かず、洗濯物を干す動作の邪魔にならない。また、左腕を下に向けても洗濯バサミホルダ１が左腕から抜け落ちることもない。
また、基部２にサイズの異なる２つの洗濯バサミ保持用鍔部３、４を設けたので、小サイズの洗濯バサミ保持用鍔部３には小サイズの多数の洗濯バサミ２０を挟ませ、大サイズの洗濯バサミ保持用鍔部４には大サイズの多数の洗濯バサミ３０を挟ませることで、サイズの異なる２種類の洗濯バサミ２０、３０を整理して保持させることが可能となる。
また、洗濯バサミ保持用鍔部３、４の周縁部５、６をリング状の袋部７、８とし、袋部７、８の内部にリング状の芯材９、１０を備えたことにより、洗濯バサミ保持用鍔部３、４の形が安定し、多数の洗濯バサミ２０、３０を洗濯バサミ保持用鍔部３、４にきれいに並んだ状態で保持させることができるとともに、芯材９、１０を跨ぐようにして周縁部５、６を洗濯バサミ２０、３０で挟ませることで、洗濯バサミ保持用鍔部３、４から簡単に脱落しないようにできる。
また、芯材をチュープ状の弾性部材としたので、ソフトな触感が得られるとともに洗濯バサミ保持用鍔部３、４の形態安定性が増す。
【００１５】
なお、上記した実施例では基部に設けた２つの洗濯バサミ保持用鍔部のサイズを変えた場合を例に挙げて説明したが、本考案は何らこれに限定されるものでなく、例えば図５に示す洗濯バサミホルダ１Ａの如く２つとも小サイズの洗濯バサミ保持用鍔部３、３としても良い。また、基部に洗濯バサミ保持用鍔部を一つだけ設けたり、３つ以上設けたりしても良い。また、芯材をチューブ状弾性材としたが、リング状のゴム体、リング状のプラスチック材などとしても良い。
【００１６】
また、上記した実施例では、基部を筒状としたが、図１の基部を洗濯バサミ保持用鍔部とともに切り開いたような形とにしても良い。例えば、図６の洗濯バサミホルダ１Ｂに示す如く、基部２Ｂを腕に巻ける帯状とし、基部２Ｂの外面側の両端近くにサイズの異なる洗濯バサミ保持用鍔部３Ｂ、４Ｂを設け、洗濯バサミ保持用鍔部３Ｂ、４Ｂの袋状の外縁部５Ｂ、６Ｂの内部に塩化ビニルチューブなどのチューブ状弾性部材から成る芯材９Ｂ、１０Ｂを内蔵し、基部２Ｂの切り開いた両端部の内、一端側の表面と他端側の裏面に軸方向に沿って固定部としての面ファスナー１２、１３を取着する。使用時は、基部２Ｂを腕の手首寄りに巻きつけ、図７の如く洗濯バサミ保持用鍔部３Ｂ、４Ｂがリング状になるようにしてオス側とメス側の面ファスナー１２、１３で固定して洗濯バサミホルダ１Ｂを腕に装着すれば良い。この際、洗濯バサミは予め、洗濯バサミ保持用鍔部３Ｂ、４Ｂに取り付けておいても良く、腕に基部２Ｂを装着したあと取り付けても良い。なお、図６の面ファスナーを、スナップボタンなど他の種類の固定部に変更しても良い。
【産業上の利用可能性】
【００１７】
本考案は、洗濯物を干す際に用いる各種の洗濯バサミに適用可能である。
【符号の説明】
【００１８】
１、１Ａ、１Ｂ  洗濯バサミホルダ
２、２Ｂ  基部
３、３Ｂ、４、４Ｂ  洗濯バサミ保持用鍔部
５、６  周縁部
５Ｂ、６Ｂ  外縁部
７、８  袋部
９、９Ｂ、１０、１０Ｂ  芯材
１２、１３  面ファスナー
２０、３０  洗濯バサミ
【図１】
0003185297.tif 000003
【図２】
0003185297.tif 000004
【図３】
0003185297.tif 000005
【図４】
0003185297.tif 000006
【図５】
0003185297.tif 000007
【図６】
0003185297.tif 000008
【図７】
0003185297.tif 000009